(57)【要約】【課題】強い引っ張りなどによる衝撃がホースに加わったとしても、吸音体が内壁から剥れることがない伸縮性に優れたホースを提供する。【解決手段】吸音性クリーナーホース１は、軟質合成樹脂からなるホース壁１１の内周面１５に硬質補強体１２ａ、１２ｂが螺旋状に捲回添着されており、硬質補強体１２ａ、１２ｂの隣接する間隙に吸音材１３を螺旋状に配設し、さらに、吸音材１３の内面に不織布テープ１４を螺旋状に捲回して構成されている。硬質補強体１２ａ、１２ｂとしては、硬質合成樹脂が好ましく、軟質合成樹脂製のホース壁１１に溶着一体化させることができる。また、吸音材１３の例としては、連続気泡の発泡樹脂テープ、フェルト等の帯状体が挙げられ、非着状態で単に硬質補強体１２ａ、１２ｂの隣接する間隙に螺旋状に配設させることができる。【選択図】          図１
2004154369.tif 000002
【特許請求の範囲】
【請求項１】
軟質合成樹脂からなるホース壁と、前記ホース壁の内周面に螺旋状に添着した２本の硬質補強体と、前記２本の硬質補強体の隣接する間隙に螺旋状に配設した吸音材及び前記吸音材の内面に螺旋状に捲回して吸音材を保持する通気性テープとで構成した吸音性クリーナーホース。
【請求項２】
硬質合成樹脂からなる硬質補強体がホース壁に溶着されている請求項１に記載の吸音性クリーナーホース。
【請求項３】
不織布からなる通気性テープを吸音材の両側に配置した２本の硬質補強体の内面に固着した請求項１に記載の吸音性クリーナーホース。
【請求項４】
２本の硬質補強体の隣接する間隙に吸音材及び通気性テープを配設したピッチと、吸音材及び通気性テープを配設していないピッチとを設けた請求項１に記載の吸音性クリーナーホース。
【請求項５】
吸音材及び通気性テープを配設したピッチと、配設していないピッチとを１ピッチ毎に交互に設けた請求項１に記載の吸音性クリーナーホース。
【発明の詳細な説明】
【０００１】
【発明の属する技術分野】
本発明は、例えば一般家庭で使用されるクリーナーホース、特に、ホースの壁面に吸音体を備えたクリーナーホースに関するものである。
【０００２】
【従来の技術】
従来、吸音性のクリーナーホースは、可撓性を持たせるためホース壁が薄膜状の可撓部材から形成されていた。しかしながら、薄膜状の可撓部材から形成されたホース壁は、電気掃除機内を通過する吸気風により発生する風切り音や吸気音がホース壁外へ漏れてしまう問題があった。この問題を解決するために、特開平４−２８３２４号公報ではホースの内表面に螺旋状に配設した芯材間に静音材を埋設した電気掃除機用ホースが記載されている。
【０００３】
【発明が解決しようとする課題】
しかしながら、上記電気掃除機用ホースは内周面に形成された静音材が芯材間に埋設されているため伸縮性が悪く、また、強い引っ張りなどによる衝撃から静音材が内表面から剥れる恐れがある。
【０００４】
本発明は、上記問題に鑑み、強い引っ張りなどによる衝撃がホースに加わったとしても、吸音体が内壁から剥れることがない伸縮性に優れたホースを提供することを課題とするものである。
【０００５】
【課題を解決するための手段】
本発明は、上記問題に鑑み、軟質合成樹脂からなるホース壁と、前記ホース壁の内周面に螺旋状に添着した２本の硬質補強体と、前記２本の硬質補強体の隣接する間隙に螺旋状に配設した吸音材及び前記吸音材の内面に螺旋状に捲回して吸音材を保持する通気性テープとで構成したものであり（請求項１）、また、硬質合成樹脂からなる硬質補強体がホース壁に溶着され（請求項２）、不織布からなる通気性テープを吸音材の両側に配置した２本の硬質補強体の内面に固着している（請求項３）。さらに、２本の硬質補強体の隣接する間隙に吸音材及び通気性テープを配設したピッチと、吸音材及び通気性テープを配設していないピッチとを設けることもでき（請求項４）、吸音材及び通気性テープを配設したピッチと、配設していないピッチとを１ピッチ毎に交互に設けることもできる（請求項５）。
【０００６】
【発明の実施の形態】
以下本発明の吸音性クリーナーホースの実施形態について、添付図面を参照して説明する。
【０００７】
図１は本発明に係る一実施例を示す吸音性クリーナーホース１の一部縦断側面図であり、吸音性クリーナーホース１は、軟質合成樹脂からなるホース壁１１の内周面１５に硬質補強体１２ａ、１２ｂが螺旋状に捲回添着されており、硬質補強体１２ａ、１２ｂの隣接する間隙に吸音材１３を螺旋状に配設し、さらに、吸音材１３の内面に不織布テープ１４を螺旋状に捲回して構成されている。硬質補強体１２ａ、１２ｂとしては、硬質合成樹脂が好ましく、軟質合成樹脂製のホース壁１１に溶着一体化させることができる。また、吸音材１３の例としては、連続気泡の発泡樹脂テープ、フェルト等の帯状体が挙げられ、非着状態で単に硬質補強体１２ａ、１２ｂの隣接する間隙に螺旋状に配設させることができる。
【０００８】
図２は図１に示す吸音性クリーナーホース１の拡大部分図であり、吸音性クリーナーホース１のホース壁１１の内周面１５に硬質補強体１２ａ、１２ｂが溶着されており、硬質補強体１２ａ、１２ｂの隣接する間隙に吸音材１３を螺旋状に捲回配設し、吸音材１３を保持する不織布テープ１４が硬質補強体１２ａ、１２ｂの内面に溶着されている。
【０００９】
図３は図１に示す吸音性クリーナーホース１の改良に係る一部縦断側面図であり、吸音性クリーナーホース１は、軟質合成樹脂からなるホース壁１１の内周面１５に硬質補強体１２ａ、１２ｂが螺旋状に捲回添着されており、硬質補強体１２ａ、１２ｂの隣接する間隙に配設した吸音材１３及び不織布テープ１４が１ピッチ毎に螺旋状に捲回配設されている。
【００１０】
図４は図３に示す吸音性クリーナーホース１の拡大部分図であり、吸音性クリーナーホース１のホース壁１１の内周面１５に硬質補強体１２ａ、１２ｂが溶着されて螺旋状に捲回配設されており、硬質補強体１２ａ、１２ｂの隣接する間隙に配設した吸音材１３と吸音材１３を保持する硬質補強体１２ａ、１２ｂの内面に溶着された不織布テープ１４を配設したピッチＡと、吸音材１３及び不織布テープ１４を配設していないピッチＢが１ピッチ毎に交互に設けられている。
【００１１】
なお、本発明は実施例に限定されず、補強体の固着は溶着に限らず、接着剤を用いて内壁と固着してもよい。また、通気性テープは不織布テープに限定されず、布のようなものであってもよい。
【００１２】
【発明の効果】
本発明は、以上説明したように構成されているので、以下のような効果を奏する。
【００１３】
請求項１の発明では、通気性テープが吸音材の吸音性を維持しつつ、ホース壁と両側の硬質補強体の間に狭持された吸音材を内面側から保持するので、吸音材の剥離性落下の恐れのない吸音性クリーナーホースを得ることができる。
【００１４】
請求項２の発明では、硬質合成樹脂からなる硬質補強体をホース壁に溶着することで、強引な引っ張りによりホースに直接衝撃が伝わってもホース壁から補強体が剥れることのない吸音性クリーナーホースを得ることができる。
【００１５】
請求項３の発明では、通気性テープを吸音材の両側に隣接する硬質補強体の内面に固着することで吸音材をホース内壁や補強体へ接着や溶着などの固着手段を必要とすることなく容易に配設できる吸音性クリーナーホースを得ることができる。
【００１６】
請求項４の発明では、吸音材及び通気性テープを配置していないピッチ部が通気性テープによる伸縮制限を受けずに、ホース壁自体の豊かな伸縮性により、ホースの伸縮性に優れた吸音性クリーナーホースを得ることができる。
【００１７】
請求項５の発明では、通気性テープを１ピッチ毎に形成することにより、強い引張りが生じても前記通気性テープを配置していない部分が衝撃吸収部となり、通気性テープに直接衝撃力が加わらず通気性テープの破損を防ぐ吸音性クリーナーホースを得ることができる。
【図面の簡単な説明】
【図１】本発明に係る一実施例を示す吸音性クリーナーホースの一部縦断側面図。
【図２】図１に示す吸音性クリーナーホースの拡大部分図。
【図３】本発明に係る他の実施例を示す吸音性クリーナーホースの一部縦断側面図。
【図４】図３に示す吸音性クリーナーホースの拡大部分図。
【符号の説明】
１    吸音性クリーナーホース
１１  ホース壁
１２ａ、１２ｂ  螺旋補強体
１３  吸音体
１４  不織布テープ
１５  内周面
【図１】
2004154369.tif 000003
【図２】
2004154369.tif 000004
【図３】
2004154369.tif 000005
【図４】
2004154369.tif 000006